(57)【特許請求の範囲】
【請求項１】
少なくとも第１の基板を有する表示パネルと、
前記第１の基板の少なくとも一辺の縁部に機械的・電気的に接続されるフレキシブル配線基板とを備え、
前記フレキシブル配線基板は、差動信号を伝送する複数対の差動信号配線を含む差動信号配線群を有し、
前記フレキシブル配線基板は、前記第１の基板に形成された電極に電気的・機械的に接続される第１接続端子を含む第１の部分と、
前記第１の部分に連続し、外部コネクタと接続される第２接続端子を含む第２の部分とから構成され、
前記第１および第２の部分において、前記各対の差動信号配線を構成する正極信号用の配線に対して、当該差動信号配線を構成する負極信号用の配線の反対側に一本の第１ＧＮＤ配線が配置し、当該差動信号配線を構成する負極信号用の配線に対して、当該差動信号配線を構成する正極信号用の配線の反対側に一本の第２ＧＮＤ配線が配置され、
前記第２の部分において、少なくとも前記各対の差動信号配線の正極信号用の配線と負極信号用の配線との間に、付加ＧＮＤ配線が配置されていることを特徴とする表示装置。
【請求項２】
前記第２の部分において、前記各対の差動信号配線の正極信号用の配線と負極信号用の配線との間、および、前記各対の差動信号配線を構成する正極信号用と、前記第１ＧＮＤ配線との間に、前記付加ＧＮＤ配線が配置されていることを特徴とする請求項１に記載の表示装置。
【請求項３】
前記第２の部分において、前記各対の差動信号配線の正極信号用の配線と負極信号用の配線との間、および、前記各対の差動信号配線を構成する負極信号用と、前記第２ＧＮＤ配線との間に、前記付加ＧＮＤ配線が配置されていることを特徴とする請求項１に記載の表示装置。
【請求項４】
前記第２の部分において、前記各対の差動信号配線の正極信号用の配線と負極信号用の配線との間、および、前記各対の差動信号配線を構成する正極信号用と、前記第１ＧＮＤ配線との間、並びに、前記各対の差動信号配線を構成する負極信号用と、前記第２ＧＮＤ配線との間に、前記付加ＧＮＤ配線が配置されていることを特徴とする請求項１に記載の表示装置。
【請求項５】
前記各対の差動信号配線の正極信号用の配線と負極信号用の配線、前記第１ＧＮＤ配線、前記第２ＧＮＤ配線、および、前記付加ＧＮＤ配線の第２接続端子は、千鳥形状に配置されていることを特徴とする請求項１ないし請求項４のいずれか１項に記載の表示装置。
【請求項６】
前記差動信号配線群は、前記フレキシブル配線基板の第１面に形成され、
前記フレキシブル配線基板の前記第１面と反対側の第２面には、ＧＮＤパターンが形成され、
前記付加ＧＮＤ配線の前記第２接続端子と反対側の一端は、前記ＧＮＤパターンに接続されていることを特徴とする請求項１ないし請求項５のいずれか１項に記載の表示装置。
【請求項７】
前記差動信号配線群は、前記フレキシブル配線基板の第１面に形成され、
前記フレキシブル配線基板の前記第１面と反対側の第２面には、第１ＧＮＤメッシュパターンと、第２ＧＮＤメッシュパターンとが形成され、
前記第１ＧＮＤメッシュパターンは、少なくとも前記差動信号配線群を覆うように形成され、
前記付加ＧＮＤ配線の前記第２接続端子と反対側の一端は、前記第１ＧＮＤメッシュパターンに接続され、
前記第２ＧＮＤメッシュパターンは、前記第１ＧＮＤメッシュパターンが形成された領域以外の領域に形成され、
前記第２ＧＮＤメッシュパターンは、メッシュの目の大きさが前記第１ＧＮＤメッシュパターンよりも大きいことを特徴とする請求項１ないし請求項５のいずれか１項に記載の表示装置。
【請求項８】
前記差動信号配線群は、前記フレキシブル配線基板の前記第１の部分では前記第１面に形成され、前記フレキシブル配線基板の前記第２の部分では前記第２面に形成され、
前記第１ＧＮＤメッシュパターン、および前記第２ＧＮＤメッシュパターンは、前記フレキシブル配線基板の前記第１の部分にのみ形成され、
前記フレキシブル配線基板の前記第２の部分の前記第１面には、第３ＧＮＤパターンが形成され、
前記第３ＧＮＤパターンは、少なくとも前記付加ＧＮＤ配線が形成される領域を覆うように形成され、
前記付加ＧＮＤ配線の前記第２接続端子と反対側の一端は、前記第３ＧＮＤパターンに接続されていることを特徴とする請求項７に記載の表示装置。
【請求項９】
前記差動信号配線群は、前記フレキシブル配線基板の第１面に形成され、
前記フレキシブル配線基板の前記第１面と反対側の第２面における第１の部分と第２の部分には、それぞれ第１ＧＮＤパターンと第２ＧＮＤパターンとが形成され、
前記第１ＧＮＤパターンと第２ＧＮＤパターンとは電気的に接続されておらず、
前記第２ＧＮＤパターンは、少なくとも前記付加ＧＮＤ配線が形成される領域を覆うように形成され、
前記付加ＧＮＤ配線の前記第２接続端子と反対側の一端は、前記第２ＧＮＤパターンに接続されていることを特徴とする請求項１ないし請求項５のいずれか１項に記載の表示装置。
【請求項１０】
前記差動信号配線群は、前記フレキシブル配線基板の前記第１の部分では前記第１面に形成され、前記フレキシブル配線基板の前記第２の部分では前記第１面と反対側の第２面に形成され、
前記フレキシブル配線基板の前記第１の部分の前記第２面と、前記第２の部分の前記第１面には、それぞれ第１ＧＮＤパターンと第２ＧＮＤパターンとが形成され、
前記第１ＧＮＤパターンと第２ＧＮＤパターンとは電気的に接続されておらず、
前記第２ＧＮＤパターンは、少なくとも前記付加ＧＮＤ配線が形成される領域を覆うように形成され、
前記付加ＧＮＤ配線の前記第２接続端子と反対側の一端は、前記第２ＧＮＤパターンに接続されていることを特徴とする請求項１ないし請求項５のいずれか１項に記載の表示装置。
【請求項１１】
前記第１の部分における前記各対の差動信号配線の正極信号用の配線と、負極信号用の配線との間隔は、前記第２の部分における前記各対の差動信号配線の正極信号用の配線と、負極信号用の配線との間隔よりも狭いことを特徴とする請求項８ないし請求項１０のいずれか１項に記載の表示装置。
【請求項１２】
前記表示装置は、液晶表示装置であり、
前記表示パネルは、第１の基板と、第２の基板と、前記第１の基板と前記第２の基板との間に挟持される液晶層とを有する液晶表示パネルであることを特徴とする請求項１ないし請求項１１のいずれか１項に記載の表示装置。
【発明の詳細な説明】
【技術分野】
【０００１】
本発明は、表示装置に係り、特に、本体側と表示パネルとの間において高速差動信号方式で信号を伝送する際に有効な技術に関する。
【背景技術】
【０００２】
携帯電話機などの携帯機器の表示部として使用されるＴＦＴ（Ｔhin Ｆilm Ｔransistor）方式の液晶表示モジュールは、小型の液晶表示パネルと、この液晶表示パネルを収納する樹脂モールドフレームとを備え、液晶表示パネルは、樹脂モールドフレームに設けられた凹部に収納されている。
液晶表示パネルは、第１の基板と、第２の基板と、これら第１の基板と第２の基板との間に挟持される液晶層とを有する。第１及び第２の基板の各々の平面形状は、長辺及び短辺を有する長方形で形成され、第１の基板の長辺は、第２の基板の長辺よりも長く、第１の基板は、第２の基板と重畳しない領域（以下、非重畳領域という）を有する。
第１の基板の非重畳領域には、ドライバ回路を搭載した半導体チップが実装されており、更に、この第１の基板の非重畳領域には、フレキシブル配線基板の一端側が接続される。なお、このような、液晶表示パネルは、例えば、下記、特許文献１、特許文献２に記載されている。
【０００３】
なお、本願発明に関連する先行技術文献としては以下のものがある。
【特許文献１】特開２００７−１１４４４４号公報
【特許文献２】特開２００７−１６３５５６号公報
【発明の開示】
【発明が解決しようとする課題】
【０００４】
最近、前述の特許文献１、特許文献２に記載されているような携帯電話機の液晶表示パネルでは、携帯電話機のプロセッサに高速差動信号の出力機能（トランスミッタ回路）を内蔵し、かつ、液晶表示パネルの半導体チップに受信機能（レシーバー回路）を内蔵することにより、フレキシブル配線基板上を高速差動信号で伝送させることが要求されている。
しかしながら、後述する高速差動信号の伝送回路ルールに準じて、高速差動信号を外部コネクタと接続される接続端子（インターフェース端子）まで配線した場合、外部コネクトとして、ＺＩＦタイプコネクタあるいはスタッキングタイプコネクタのいずれを用いる場合においても、高速差動信号の中の正極信号用の配線と、負極信号用の配線とが、外部コネクタにおいて左右に分離され、高速差動信号にインピーダンス不整合が生じるという問題点があった。
一方、市販の外部コネクタの中には、金属製のシールドカバー等により構成された高速差動信号専用コネクタが存在し、当該コネクタを使用すれば、前述したような高速差動信号の中の正極信号用の配線と、負極信号用の配線とが外部コネクタにおいて左右に分離され、高速差動信号にインピーダンス不整合が生じるのを回避することは可能であるが、携帯電話機等の携帯機器に内蔵するにはその寸法、仕様面で課題があった。
本発明は、前記従来技術の問題点を解決するためになされたものであり、本発明の目的は、差動信号の中の正極信号用の配線と、負極信号用の配線とが、外部コネクタにおいて左右に分離され、差動信号にインピーダンス不整合が生じるのを防止することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）少なくとも第１の基板を有する表示パネル（例えば、液晶表示パネル）と、前記第１の基板の少なくとも一辺の縁部に機械的・電気的に接続されるフレキシブル配線基板とを備え、前記フレキシブル配線基板は、差動信号を伝送する複数対の差動信号配線を含む差動信号配線群を有し、前記フレキシブル配線基板は、前記第１の基板に形成された電極に電気的・機械的に接続される第１接続端子を含む第１の部分と、前記第１の部分に連続し、外部コネクタと接続される第２接続端子を含む第２の部分とから構成され、前記第１および第２の部分において、前記各対の差動信号配線の正極信号用の配線と、負極信号用の配線との両側には、一対のＧＮＤ用配線が配置され、前記第２の部分において、少なくとも前記各対の差動信号配線の正極信号用の配線と負極信号用の配線との間に、付加ＧＮＤ用配線が配置されている。
（２）（１）において、前記第２の部分において、前記各対の差動信号配線の正極信号用の配線と負極信号用の配線との間、および、隣接する各対の差動信号配線の間に配置されるＧＮＤ用配線と隣接する各対の差動信号配線の一方の対の正極信号用の配線あるいは負極信号用の配線との間に、前記付加ＧＮＤ用配線が配置されている。
（３）（１）において、前記第２の部分において、前記各対の差動信号配線の正極信号用の配線と負極信号用の配線との間、および、前記一対のＧＮＤ用配線の一方と前記各対の差動信号配線の正極信号用の配線との間、並びに、前記一対のＧＮＤ用配線の他方と前記各対の差動信号配線の負極信号用の配線との間に、前記付加ＧＮＤ用配線が配置されている。
【０００６】
（４）（１）ないし（３）の何れかにおいて、前記各対の差動信号配線の正極信号用の配線と負極信号用の配線、前記一対のＧＮＤ用配線、および、前記付加ＧＮＤ用配線の第２接続端子は、千鳥形状に配置されている。
（５）（１）ないし（４）の何れかにおいて、前記差動信号配線群は、前記フレキシブル配線基板の第１面に形成され、前記フレキシブル配線基板の前記第１面と反対側の第２面には、ＧＮＤパターンが形成され、前記付加ＧＮＤ用配線の前記接続端子と反対側の一端は、前記ＧＮＤパターンに接続されている。
（６）（１）ないし（３）の何れかにおいて、前記差動信号配線群は、前記フレキシブル配線基板の第１面に形成され、前記フレキシブル配線基板の前記第１面と反対側の第２面には、第１ＧＮＤメッシュパターンと、第２ＧＮＤメッシュパターンとが形成され、前記第１ＧＮＤメッシュパターンは、少なくとも前記差動信号配線群を覆うように形成され、前記付加ＧＮＤ用配線の前記接続端子と反対側の一端は、前記第１ＧＮＤメッシュパターンに接続され、前記第２ＧＮＤメッシュパターンは、前記第１ＧＮＤメッシュパターンが形成された領域以外の領域に形成され、前記第２ＧＮＤメッシュパターンは、メッシュの目の大きさが前記第１ＧＮＤメッシュパターンよりも大きい。
（７）（６）において、前記差動信号配線群は、前記フレキシブル配線基板の前記第１の部分では前記第１面に形成され、前記フレキシブル配線基板の前記第２の部分では前記第２面に形成され、前記第１ＧＮＤメッシュパターン、および前記前記第２ＧＮＤメッシュパターンは、前記フレキシブル配線基板の前記第１の部分にのみ形成され、前記フレキシブル配線基板の前記第２の部分の前記第１面には、第３ＧＮＤパターンが形成され、前記第３ＧＮＤパターンは、少なくとも前記付加ＧＮＤ用配線が形成される領域を覆うように形成され、前記付加ＧＮＤ用配線の前記接続端子と反対側の一端は、前記第３ＧＮＤパターンに接続されている。
【０００７】
（８）（１）ないし（３）の何れかにおいて、前記差動信号配線群は、前記フレキシブル配線基板の第１面に形成され、前記フレキシブル配線基板の前記第１面と反対側の第２面における第１の部分と第２の部分には、それぞれ第１ＧＮＤパターンと第２ＧＮＤパターンとが形成され、前記第１ＧＮＤパターンと第２ＧＮＤパターンとは電気的に接続されておらず、前記第２ＧＮＤパターンは、少なくとも前記付加ＧＮＤ用配線が形成される領域を覆うように形成され、前記付加ＧＮＤ用配線の前記接続端子と反対側の一端は、前記第２ＧＮＤパターンに接続されている。
（９）（１）ないし（４）の何れかにおいて、前記差動信号配線群は、前記フレキシブル配線基板の前記第１の部分では前記第１面に形成され、前記フレキシブル配線基板の前記第２の部分では前記第１面と反対側の第２面に形成され、前記フレキシブル配線基板の前記第１の部分の前記第２面と、前記第２の部分の前記第１面には、それぞれ第１ＧＮＤパターンと第２ＧＮＤパターンとが形成され、前記第１ＧＮＤパターンと第２ＧＮＤパターンとは電気的に接続されておらず、前記第２ＧＮＤパターンは、少なくとも前記付加ＧＮＤ用配線が形成される領域を覆うように形成され、前記付加ＧＮＤ用配線の前記接続端子と反対側の一端は、前記第２ＧＮＤパターンに接続されている。
（１０）（７）ないし（９）の何れかにおいて、前記第１の部分における前記各対の差動信号配線の正極信号用の配線と、負極信号用の配線との間隔は、前記第２の部分における前記各対の差動信号配線の正極信号用の配線と、負極信号用の配線との間隔よりも狭い。
【発明の効果】
【０００８】
本願において開示される発明のうち代表的なものによって得られる効果を簡単に説明すれば、下記の通りである。
本発明によれば、差動信号の中の正極信号用の配線と、負極信号用の配線とが、外部コネクタにおいて左右に分離され、差動信号配線にインピーダンス不整合が生じるのを防止することが可能となる。
【発明を実施するための最良の形態】
【０００９】
以下、本発明を液晶表示装置に適用した実施例を図面を参照して詳細に説明する。
なお、実施例を説明するための全図において、同一機能を有するものは同一符号を付け、その繰り返しの説明は省略する。
本発明の実施例の液晶表示装置は、小型の液晶表示パネルを有するＴＦＴ方式の液晶表示モジュールであり、携帯電話機などの携帯機器の表示部として使用される。
図１は、本発明の実施例の液晶表示モジュールの液晶表示パネルの概略構成を示すブロック図である。
図１に示すように、本実施例の液晶表示パネルは、画素電極、薄膜トランジスタ等が設けられた第１の基板（ＴＦＴ基板、アクティブマトリクス基板ともいう）３と、カラーフィルタ等が形成される第２の基板（対向基板ともいう）２とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、第１の基板３の外側に下側偏光板（図示せず）と、第２の基板２の外側に上側偏光板１を貼り付けて構成される。
このように、本実施例の液晶表示パネルは、液晶が一対の基板の間に挟持された構造となっている。
【００１０】
また、第１の基板３は、第２の基板２よりも大きな面積を有し、第１の基板３の、第２の基板２と対向しない領域には、ドライバ回路を構成する半導体チップ４が実装され、さらに、当該領域の一辺の周辺部には、フレキシブル配線基板（ＦＰＣ）５が実装される。なお、基板の材質は絶縁性の基板であればよく、ガラスに限られず、プラスチックなどでもよい。
また、対向電極は、ＴＮ方式やＶＡ方式の液晶表示パネルであれば対向基板側に設けられる。ＩＰＳ方式の場合は、ＴＦＴ基板側に設けられる。
なお、本発明は液晶パネルの内部構造とは関係がないので、液晶パネルの内部構造の詳細な説明は省略する。さらに、本発明は、どのような構造の液晶パネルであっても適用可能である。
さらに、本実施例の液晶表示モジュールは、液晶表示パネルの裏側に配置されるバックライトを有するが、本発明はバックライトの内部構造とは関係がないので、バックライトの内部構造の詳細な説明は省略する。
【００１１】
図２は、本発明の実施例の液晶表示モジュールを表側（液晶表示パネル側、前面側、観察者側）から見た図、図３は、本発明の実施例の液晶表示モジュールを裏側（導光板側、背面側、裏側）から見た図、図４は、図３においてフレキシブル配線基板５を展開した状態を示す図である。
図２〜図４に示すように、第１の基板３と第２の基板２とから成る液晶表示パネルは、樹脂モールドフレーム（樹脂成形体、以下、単にモールドという）６の内部に配置される。また、モールド６の裏側には反射シート７がモールドの側壁に貼り付けられて配置される。
ここで、フレキシブル配線基板５は折り曲げられて、電話機本体部との接続端子部１０は、液晶表示モジュールの裏側から側面に突出するようにされる。また、フレキシブル配線基板５の第１面には、高速差動信号用配線群１７と、高速差動信号用配線群１７の両側に配置される配線群（２１Ａ，２１Ｂ）が形成され、さらに、光源となる４個の白色発光ダイオード（ＬＥＤ）が実装されている。なお、高速差動信号用配線群１７は複数対の配線で構成されるが、図４では２本のみを図示している。同様に、配線群（２１Ａ，２１Ｂ）も複数の配線で構成されるが、図４では１本のみを図示している。
また、フレキシブル配線基板５の第１面には、抵抗，コンデンサなどの電子部品９と、高速差動信号用終端抵抗群１１とが形成される。さらに、フレキシブル配線基板５の第１面と反対側の第２面には、高速差動信号用のＧＮＤパターン（通常は、メッシュパターン）１８（本発明の第１ＧＮＤメッシュパターン）が形成さる。ここで、高速差動信号用終端抵抗群１１は、４個の終端抵抗で構成される。
【００１２】
また、４個の白色発光ダイオード１４は、モールド６に形成した空間１５内に配置される。なお、１６はフレキシブル配線基板５とモールド６とを接着するための両面テープであり、１３は半導体チップ４の高速差動信号が入力される入力電極（バンプ電極）の位置を示す。
なお、フレキシブル配線基板５上で、配線が存在しない空き領域には、部品半田付け工程での熱履歴によるフレキシブル配線基板５の部分収縮抑制、および配線から放出される電磁波の遮へいの目的から、ＧＮＤパターン（通常は、メッシュパターン）（本発明の第２ＧＮＤメッシュパターン；図示せず）を敷き詰めるが、半田付け工程後にフレキシブル配線基板５が反った場合に手等で反りを修正しやすいよう、メッシュの目の大きさは比較的大きくとっている。目の大きさの目安としては０．１ｍｍ□が多い。
これに対して、高速差動信号のインピーダンス整合用の高速差動信号用のＧＮＤメッシュパターン１８は、電気的特性重視のため、通常フレキシブル配線基板５上に形成されるＧＮＤメッシュパターンよりも目の大きさが細かくされる。即ち、高速差動信号用のＧＮＤメッシュパターン１８の目の大きさは、０．１ｍｍ□よりも小さくなる。なお、高速差動信号用のＧＮＤメッシュパターン１８に代えて、面状のＧＮＤパターンを採用してもよい。
【００１３】
以下、図５を用いて、高速差動信号の伝送方式について説明する。なお、図５のＢが、本実施例の液晶表示モジュール外の領域、図５のＡ１が本実施例の液晶表示モジュールの領域、図５のＡ２が第１の基板３の領域、図５のＰＡＳがフレキシブル配線基板５の領域を表す。
本実施例では、携帯電話機のプロセッサに高速差動信号の出力機能（トランスミッタ回路（ＯＣＳ）が内蔵され、かつ、半導体チップ４の内部に受信機能（レシーバー回路（ＲＥＳ））が内蔵される。高速差動信号は、トランスミッタ回路（ＯＣＳ）と、半導体チップ４内のレシーバー回路（ＲＥＳ）との間で伝送される。
高速差動信号方式は、種々の方式が知られているが、本実施例の高速差動信号方式は、ＭＶＩ３インタフェース方式である。
一般に、高速差動信号方式では、正極信号用の配線３１と、負極信号用の配線３２とが対線を構成するが、ＭＶＩ３インタフェース方式では、この正極信号用の配線３１と、負極信号用の配線３２との対線が４組存在する。この正極信号用の配線３１と、負極信号用の配線３２との間には終端抵抗３３が接続される。したがって、図３、図４に示す高速差動信号用終端抵抗群１１は、４個の終端抵抗３３で構成されることになる。
【００１４】
また、ＭＶＩ３インタフェース方式の配線ルールは、以下の通りである。
（１）正極信号用の配線３１と、負極信号用の配線３２との対線との間の特性インピーダンス（Ｚｄｉｆ）が１００Ω、正極信号用の配線３１とＧＮＤ（接地電子）との間、および、負極信号用の配線３２とＧＮＤとの間の特性インピーダンスは共に５０Ω。
そのため、フレキシブル配線基板５の第１面に、正極信号用の配線３１と、負極信号用の配線３２との対線を形成する場合、フレキシブル配線基板５の第２面の、正極信号用の配線３１と、負極信号用の配線３２との対線が形成された領域には、ＧＮＤベタ配線パターン（面状のパターン）、または、ＧＮＤメッシュ配線パターンとする必要がある。
また、図６に示すように、対線を構成する正極信号用の配線３１と、負極信号用の配線３２の両側には、ＧＮＤ用配線３５を配置する必要がある。
【００１５】
このように、高速差動信号用配線群１７が形成される領域では、インピーダンス整合を図るために、ＧＮＤ領域（通常はメッシュパターンで実現）を、高速差動信号用配線群１７が形成される面と反対側面の、高速差動信号用配線群１７が形成される領域をすべてを覆うように設置しなければならない。
しかしながら、高速差動信号のインピーダンス整合用のＧＮＤメッシュパターン１８は、電気的特性重視のため、通常フレキシブル配線基板５上に設ける標準のＧＮＤメッシュパターンよりも目の大きさを細かくする必要ある。
そのため、フレキシブル配線基板５の部品を半田付けする工程（半田リフロー工程）を通過した後で、半田実装工程後の反りや変形などを手で修正する場合、ＧＮＤメッシュパターンの目が細かい（単位面積あたりの銅配線量が多い）ほうが弾性が大きいので、元の反り状態に復元しようとする残留応力が大きく、そのため、反り修正作業の障害となる。
そこで、本実施例では、インピーダンス整合（即ち、高速差動信号の伝送ルールから要求される条件）を実現するために形成されるＧＮＤメッシュパターン１８は、フレキシブル配線基板全体ではなく、最小限の領域に形成することで、フレキシブル配線基板５の物理的な挙動（曲げ反発力や反り修正後の復元力など）を抑えることができ、さらにコスト低減にも寄与することが可能となる。
なお、前述のＧＮＤメッシュパターン１８が形成される最小限の領域とは、図６に示す、対線を構成する正極信号用配線３１と負極信号用配線３２と、その外側に形成される一対のＧＮＤ用配線３５を覆う領域が好ましい。
【００１６】
図５、図６に示す高速差動信号の伝送回路ルールに準じて、フレキシブル配線基板５の第１面上を、高速差動信号用配線を電話機本体部との接続端子部１０の接続端子（インターフェース端子）まで配線した場合、外部コネクタとして、ＺＩＦタイプコネクタ、あるいは、スタッキングタイプコネクタのいずれを用いる場合においても、各対の正極信号用の配線３１と、負極信号用の配線３２とが、外部コネクタの内部のコンタクトピンにより左右に分離され、高速差動信号にインピーダンス不整合が生じるという問題点があった。
以下、この点について詳細に説明する。図７は、図３、図４に示すフレキシブル配線基板の接続端子部１０における各配線の配置状態を示す図である。
図７において、５１ａ〜５４ａは、４組の高速差動信号の正極信号用の配線（図６の３１に相当）、５１ｂ〜５４ｂは、４組の高速差動信号の負極信号用の配線（図６の３２に相当）、５５は、各対の正極信号用の配線（５１ａ〜５４ａ）と、負極信号用の配線（５１ｂ〜５４ｂ）の両側に配置されるＧＮＤ用配線（図６の３５に相当）である。
ここで、各対の正極信号用の配線（５１ａ〜５４ａ）、負極信号用の配線（５１ｂ〜５４ｂ）、およびＧＮＤ用配線５５の接続端子５０は、千鳥状に配置される。
そして、図７に示すような構成の接続端子部１０は、図８に示す外部コネクタ（例えば、ＺＩＦタイプコネクタ、あるいは、スタッキングタイプコネクタ）６０に取り付けられる。なお、図８において、６１は奇数番のピン、６２は偶数番のピン、６３はコンタクトピン、６４は開閉レバーである。
【００１７】
この場合に、図９に示すように、フレキシブル配線基板５の第１面上で、隣り合う各対の正極信号用の配線（５１ａ〜５４ａ）と負極信号用の配線（５１ｂ〜５４ｂ）とは、外部コネクタ６０の内部のコンタクトピン６３により左右に分離される。
即ち、正極信号用の配線（５１ａ）は、外部コネクタ６０の奇数番のピン６１に対応付けられ、負極信号用の配線（５１ｂ）は、外部コネクタ６０の偶数番のピン６２に対応付けられる。同様に、正極信号用の配線（５２ａ）は、外部コネクタ６０の偶数番のピン６２に対応付けられ、負極信号用の配線（５２ｂ）は、外部コネクタ６０の奇数番のピン６１に対応付けられ、正極信号用の配線（５３ａ）は、外部コネクタ６０の奇数番のピン６１に対応付けられ、負極信号用の配線（５３ｂ）は、外部コネクタ６０の偶数番のピン６２に対応付けられ、正極信号用の配線（５４ａ）は、外部コネクタ６０の偶数番のピン６２に対応付けられ、負極信号用の配線（５４ｂ）は、外部コネクタ６０の奇数番のピン６１に対応付けられる。
このように、従来のフレキシブル配線基板５の接続端子部１０の構成では、フレキシブル配線基板５の第１面上において、隣接する各対の正極信号と負極信号は、外部コネクタ６０に接続された時点で、各対の正極信号と負極信号との間の間隔が離れ、高速差動信号のインピーダンスの整合が大きく崩れることなる。
なお、前述したように、市販の外部コネクタの中には、金属製のシールドカバー等により構成された高速差動信号専用コネクタが存在し、当該コネクタを使用すれば、前述したような高速差動信号の中の正極信号用の配線と、負極信号用の配線とがコンタクトピンにより左右に分離され、高速差動信号のインピーダンス不整合が生じるのを回避することは可能であるが、携帯電話機等の携帯機器に内蔵するにはその寸法、仕様面で課題がある。
【００１８】
図１０は、本実施例のフレキシブル配線基板の接続端子部１０における各配線の配置状態の一例を示す図である。
図１０に示すように、本実施例でも、各対の正極信号用の配線（５１ａ〜５４ａ）、負極信号用の配線（５１ｂ〜５４ｂ）、およびＧＮＤ用配線５５の接続端子５０は、千鳥状に配置される。
しかしながら、図１０では、各配線の並びが、上から、付加ＧＮＤ用配線５６、ＧＮＤ用配線５５、正極信号用の配線（５１ａ）、付加ＧＮＤ用配線５６、負極信号用の配線（５１ｂ）、付加ＧＮＤ用配線５６、ＧＮＤ用配線５５、正極信号用の配線（５２ａ）、付加ＧＮＤ用配線５６、負極信号用の配線（５２ｂ）、付加ＧＮＤ用配線５６、ＧＮＤ用配線５５、正極信号用の配線（５３ａ）、付加ＧＮＤ用配線５６、負極信号用の配線（５３ｂ）、付加ＧＮＤ用配線５６、ＧＮＤ用配線５５、正極信号用の配線（５４ａ）、付加ＧＮＤ用配線５６、負極信号用の配線（５４ｂ）、付加ＧＮＤ用配線５６、ＧＮＤ用配線５５の順番となるように、各対の正極信号用の配線（５１ａ〜５４ａ）と負極信号用の配線（５１ｂ〜５４ｂ）との間、並びに、隣接する各対の差動信号配線の間に配置されるＧＮＤ用配線と、各対の負極信号用の配線（５１ｂ〜５４ｂ）との間に、ダミーの付加ＧＮＤ用配線５６を挿入する。
なお、ダミーの付加ＧＮＤ用配線５６は、各対の正極信号用の配線（５１ａ〜５４ａ）と負極信号用の配線（５１ｂ〜５４ｂ）との間、並びに、隣接する各対の差動信号配線の間に配置されるＧＮＤ用配線と、各対の正極信号用の配線（５１ａ〜５４ａ）との間に挿入するようにしてもよい。
ここで、付加ＧＮＤ用配線５６は、フレキシブル配線基板５に形成されたコンタクトホール５７を介して、フレキシブル配線基板５の各対の正極信号用の配線（５１ａ〜５４ａ）と負極信号用の配線（５１ｂ〜５４ｂ）が形成される面と反対側に形成されるＧＮＤパターン（例えば、面状のＧＮＤパターン、あるいはＧＮＤメッシュパターン）に接続される。
【００１９】
これにより、図１０に示すフレキシブル配線基板５を、図８に示す外部コネクタ（例えば、ＺＩＦタイプコネクタ、あるいは、スタッキングタイプコネクタ）６０に取り付けた場合、図１１に示すように、正極信号用の配線（５１ａ）と負極信号用の配線（５１ｂ）、及び、正極信号用の配線（５３ａ）と負極信号用の配線（５３ｂ）とは、ともに偶数番のピン６２に対応付けられ、かつ、その両側のピンには、ＧＮＤ用配線が対応付けられることになる。
また、正極信号用の配線（５２ａ）と負極信号用の配線（５２ｂ）、及び、正極信号用の配線（５４ａ）と負極信号用の配線（５４ｂ）とは、ともに奇数番のピン６１に対応付けられ、かつ、その両側のピンにはＧＮＤ用配線が対応付けられることになる。
そのため、本実施例では、フレキシブル配線基板５において、隣接する各対の正極信号と負極信号は、外部コネクタ６０に接続された時点でも、各対の正極信号と負極信号との間の間隔が離れないので、高速差動信号のインピーダンス整合が崩れるのを防止することが可能となる。
これにより、動作信頼性を向上させることができるともに、高速差動信号専用コネクタを使わずに、通常の信号用コネクタを使うことで、コストを低減することが可能となる。
【００２０】
なお、付加ＧＮＤ用配線５６の挿入方法は、図１０に示す以外にも様々な組み合わせ方があり、例えば、図１２に示すような方法で、付加ＧＮＤ用配線５６を挿入するようにしてもよい。
図１２では、各配線の並びが、上から、ＧＮＤ用配線５５、付加ＧＮＤ用配線５６、正極信号用の配線（５１ａ）、付加ＧＮＤ用配線５６、負極信号用の配線（５１ｂ）、付加ＧＮＤ用配線５６、ＧＮＤ用配線５５、付加ＧＮＤ用配線５６、正極信号用の配線（５２ａ）、付加ＧＮＤ用配線５６、負極信号用の配線（５２ｂ）、付加ＧＮＤ用配線５６、ＧＮＤ用配線５５、付加ＧＮＤ用配線５６、正極信号用の配線（５３ａ）、付加ＧＮＤ用配線５６、負極信号用の配線（５３ｂ）、付加ＧＮＤ用配線５６、ＧＮＤ用配線５５、付加ＧＮＤ用配線５６、正極信号用の配線（５４ａ）、付加ＧＮＤ用配線５６、負極信号用の配線（５４ｂ）、付加ＧＮＤ用配線５６、ＧＮＤ用配線５５の順番となるように、各対の正極信号用の配線（５１ａ〜５４ａ）と負極信号用の配線（５１ｂ〜５４ｂ）との間、および、隣接する各対の差動信号配線の間に配置されるＧＮＤ用配線と各対の正極信号用の配線（５１ａ〜５４ａ）との間、並びに、隣接する各対の差動信号配線の間に配置されるＧＮＤ用配線と各対の負極信号用の配線（５１ｂ〜５４ｂ）との間に、ダミーの付加ＧＮＤ用配線５６を挿入する。
これにより、図１０に示すフレキシブル配線基板５を、図８に示す外部コネクタ（例えば、ＺＩＦタイプコネクタ、あるいは、スタッキングタイプコネクタ）６０に取り付けた場合、図１３に示すように、各対の正極信号用の配線（５１ａ〜５４ａ）、負極信号用の配線（５１ｂ〜５４ｂ）、およびＧＮＤ用配線５５は、外部コネクタの片側のピン（奇数番のピン６１、あるいは、偶数番のピン６２）に対応付けられ、かつ、その両側のピンには、ＧＮＤ用配線が対応付けられることになる。
【００２１】
図１４は、本実施例のフレキシブル配線基板５の変形例を示す図である。なお、図１４（ａ）は、フレキシブル配線基板５の第１面を、図１４（ｂ）はフレキシブル配線基板５の第２面を示す。
前述の図２〜図４に示すフレキシブル配線基板５では、高速差動信号用配線群１７は、フレキシブル配線基板５の第１面に形成されているが、図１４に示すフレキシブル配線基板５では、高速差動信号用配線群１７は、図１４の４１に示すフレキシブル配線基板５の第１の部分では、フレキシブル配線基板５の第１面に形成されるが、図１４の４２に示すフレキシブル配線基板５の第１の部分４１に連続する第２の部分では、フレキシブル配線基板５の第２面に形成される。なお、フレキシブル配線基板５の第１面に形成される複数対の高速差動信号用の配線と、フレキシブル配線基板５の第２面に形成される複数対の高速差動信号用の配線とは、フレキシブル配線基板５に形成されたコンタクトホールを介して接続されることはいうまでもない。
また、ＧＮＤメッシュパターン１８ａと、それ以外のＧＮＤメッシュパターンは、フレキシブル配線基板５の第１の部分４１の第２面にのみ形成される。さらに、フレキシブル配線基板５の第１の部分４１における、正極信号用の配線３１と、負極信号用の配線３２との間隔（図１４のＰａ）は、フレキシブル配線基板５の第２の部分４２における、正極信号用の配線３１と、負極信号用の配線３２との間隔（図１４のＰｂ）よりも狭く（Ｐａ＜Ｐｂ）されており、これにより、フレキシブル配線基板５の第２の部分４２において、インピーダンス整合を図っている。
【００２２】
ここで、フレキシブル配線基板５の第２の部分４２においては、フレキシブル配線基板５の第１面にＧＮＤパターン（面状のＧＮＤパターンあるいはＧＮＤメッシュパターン）１８ｂが形成されており、付加ＧＮＤ用配線５５はコンタクトホール５７を介してＧＮＤパターン１８ｂと接続される。
また、図１４から分かるように、フレキシブル配線基板５の第１の部分４１の幅（第１の基板３の短辺に平行な方向の長さ）は、フレキシブル配線基板５の第２の部分４２の幅よりも大きい。
なお、図３、図４に示すフレキシブル配線基板５においても、フレキシブル配線基板５の第１の部分（図１４の４１に相当する領域）にのみ、高速差動信号用の第１ＧＮＤパターン１８、および、それ以外の領域に形成される第２ＧＮＤパターンを形成するようにしてもよい。
この場合にも、フレキシブル配線基板５の第１の部分における、正極信号用の配線３１と、負極信号用の配線３２との間隔（図１４のＰａに相当）は、フレキシブル配線基板５の第２の部分４２における、正極信号用の配線３１と、負極信号用の配線３２との間隔（図１４のＰｂに相当）よりも狭く（Ｐａ＜Ｐｂ）し、これにより、フレキシブル配線基板５の第２の部分（図１４の４２に相当する領域）において、インピーダンス整合を図る必要がある。
また、フレキシブル配線基板５の第２の部分においては、フレキシブル配線基板５の第２面にＧＮＤパターン（面状のＧＮＤパターンあるいはＧＮＤメッシュパターン）が形成され、付加ＧＮＤ用配線５６はコンタクトホール５７を介してＧＮＤパターン１８ｂと接続される。
なお、本発明は、液晶表示装置に限られず、例えば、有機ＥＬ表示装置など、画素を有する表示装置全般に適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２３】
【図１】本発明の実施例の液晶表示モジュールの液晶表示パネルの概略構成を示すブロック図である。
【図２】本発明の実施例の液晶表示モジュールを表側（液晶表示パネル側、前面側、観察者側）から見た図である。
【図３】本発明の実施例の液晶表示モジュールを裏側（導光板側、背面側、裏側）から見た図である。
【図４】図３においてフレキシブル配線基板を展開した状態を示す図である。
【図５】高速差動信号の伝送方式について説明する図である。
【図６】高速差動信号の伝送方式における、対線を構成する正極信号用の配線と、負極信号用の配線と、ＧＮＤ用配線とを説明するための図である。
【図７】図３、図４に示すフレキシブル配線基板の接続端子部における各配線の配置状態を示す図である。
【図８】従来の外部コネクタ（例えば、ＺＩＦタイプコネクタ、あるいは、スタッキングタイプコネクタ）を説明するための図である。
【図９】図７に示すフレキシブル配線基板の接続端子部を、図８に示す外部コネクタに接続した場合の外部コネクタのピンと各配線との対応位置を示す図である。
【図１０】本発明の実施例のフレキシブル配線基板の接続端子部における各配線の配置状態の一例を示す図である。
【図１１】図１０に示すフレキシブル配線基板の接続端子部を、図８に示す外部コネクタに接続した場合の外部コネクタのピンと各配線との対応位置を示す図である。
【図１２】本発明の実施例のフレキシブル配線基板の接続端子部における各配線の配置状態の他の例を示す図である。
【図１３】図１２に示すフレキシブル配線基板の接続端子部を、図８に示す外部コネクタに接続した場合の外部コネクタのピンと各配線との対応位置を示す図である。
【図１４】本発明の実施例のフレキシブル配線基板の変形例を示す図である。
【符号の説明】
【００２４】
１  偏光板
２  第２の基板
３  第１の基板
４  半導体チップ
５  フレキシブル配線基板
６  モールド
７  反射シート
９  抵抗，コンデンサなどの電子部品
１０  接続端子部
１１  高速差動信号用終端抵抗群
１３  半導体チップの高速差動信号入力電極位置
１４  白色発光ダイオード（ＬＥＤ）
１５  モールドに設けた白色発光ダイオードを収納する空間
１６  両面テープ
１７  高速差動信号用配線群
１８，１８ａ  差動信号の対面に形成させるＧＮＤメッシュパターン
１８ｂ  ＧＮＤパターン
２１Ａ  配線群Ａ
２１Ｂ  配線群Ｂ
３１，５１ａ〜５４ａ  正極信号用の配線
３２，５１ｂ〜５４ｂ  負極信号用の配線
３３  終端抵抗
３５，５５  ＧＮＤ用配線
４１  フレキシブル配線基板の第１の部分
４２  フレキシブル配線基板の第２の部分
５０  接続端子
５６  付加ＧＮＤ用配線
５７  コンタクトホール
６０  外部コネクタ（ＺＩＦタイプコネクタ、あるいはスタッキングタイプコネクタ）
６１  奇数番のピン
６２  偶数番のピン
６３  コンタクトピン
６４  開閉レバー
ＯＣＳ  トランスミッタ回路
ＲＥＳ  レシーバー回路
【図１】
0005508680.tif 000002
【図２】
0005508680.tif 000003
【図３】
0005508680.tif 000004
【図４】
0005508680.tif 000005
【図５】
0005508680.tif 000006
【図６】
0005508680.tif 000007
【図７】
0005508680.tif 000008
【図８】
0005508680.tif 000009
【図９】
0005508680.tif 000010
【図１０】
0005508680.tif 000011
【図１１】
0005508680.tif 000012
【図１２】
0005508680.tif 000013
【図１３】
0005508680.tif 000014
【図１４】
0005508680.tif 000015